(57)【特許請求の範囲】
【請求項１】
薄い紙、布地、不織布、プラスチックのシートやマットのベースの上面または／および下面にダニを誘引する誘引剤を付着した和紙、不織布、綿生地の通気性を有してダニが侵入・移動可能な薄いシートのダニ誘引用シートを積層するとともに、
ダニ誘引用シートに誘引したダニを確認するためにこのダニ誘引用シートの表面側に透明な合成樹脂シートまたはフィルムシートの透視シートの透視部を重ね合わせて被覆状態に配設し、上記ダニ誘引用シートによってダニ誘引用シートと透視シートとの間に誘引したダニを透明な透視シートの透視部を介して確認するようにしたことを特徴とする誘引ダニ確認用具。
【請求項２】
ベースが小形の薄いプラスチックシートで、その片面または両面側の所要位置にダニ誘引用シートを貼り付け、その表面に透明なプラスチックシートの透視部を被覆して取着した請求項１に記載の誘引ダニ確認用具。
【請求項３】
誘引したダニを確認しやすいようにダニの体色と反対色等の黒色、茶色、紺色等のダニ誘引用シートとした請求項１または２に記載の誘引ダニ確認用具。
【請求項４】
ベースと透視部との間にダニ誘引用シートを挿脱できて交換可能に装着した請求項１ないし３のいずれかに記載の誘引ダニ確認用具。
【請求項５】
ダニ誘引用シートと交換可能にダニを誘引して捕獲する誘引殺ダニ剤を付着した誘引殺ダニ用シートを装着するようにして、誘引したダニを確認できるようにするとともに捕獲するようにした請求項１ないし４のいずれかに記載の誘引ダニ確認用具。
【請求項６】
複数の透視部を設けて、その透視部のダニ誘引用シートにいろいろな種類のダニを誘引可能にダニ誘引剤を変えて設けていろいろな種類のダニを確認できるようにした請求項１ないし５のいずれかに記載の誘引ダニ確認用具。
【発明の詳細な説明】
【０００１】
【発明が属する技術分野】
本発明は、衛生分野における寄生虫駆除対象のダニが見れる誘引ダニ確認用具に関するものである。
【０００２】
【従来の技術】
近年の住宅環境から、屋内のカーペット、畳、布団、べッド、じゅうたん、自動車のシート等の人が住むどんな場所にもダニが繁殖し、それらがアトビー性皮膚炎、気管支喘息等を誘引する原因であることがきわめて濃厚と考えられている。
【０００３】
そしてまた、生活様式がサッシュ等の洋式化するにつれてダニが生息するのに好都合な環境が作り出され、ダニの繁殖を助長しているとも考えられ、人体に害を及ぼすダニ汚染が年々深刻になってきている。
【０００４】
【発明が解決しようとする課題】
そのため、ダニの駆除方法として、石油製品の化学物質を混合した殺ダニ剤を散布してダニを殺すことが提案されているが、従来の殺ダニ剤は毒性の強いもので、この薬剤を散布してダニを殺すことは居住環境の汚染という副作用をともなうとともに、子供や赤ん坊に悪影響がある。また、寝具類などに使用できず、ダニ類の一番多くすむところが野放し状態であった。さらに、ツメダニ、ヤケヒョウダニなどは、殺虫剤ではその効果がほとんどなく、すべてのいろいろな種類のダニを消滅させることはできないものであった。
【０００５】
そこで、本発明者は、綿やメリヤス地、布地のマット状、シート状の捕獲器にダニ誘引捕獲剤を配設してダニを捕獲するダニ誘引捕獲器を開発して市場に提供したその結果、居住環境の汚染をともなうことなく、ダニが近寄りやすい状態にでき、多種類のダニ類を多数誘引して捕獲することができた。
【０００６】
特に、ダニ誘引剤が毒性のない殺ダニ物質とすることによって、ダニ類の死骸、糞などによるアレルゲンの源を住居環境を害さずに消滅することができるものであった。
【０００７】
【発明が解決しようとする課題】
しかし、ダニ捕獲器でアレルギー源の多種類、多数のダニを捕獲できたといっても、ダニはミクロン程度の微小なものなので、肉眼で確認することが難しく、自分の住居にも本当にダニがいるのか、どんなダニがいるのか、捕獲したダニを一度でも自分の眼で見たいという要望が多数寄せられるものであった。
【０００８】
【課題を解決するための手段】
本発明は、上記のような点に鑑みたもので、上記の課題を解決するために、薄い紙、布地、不織布、プラスチックのシートやマットのベースの上面または／および下面にダニを誘引する誘引剤を付着した和紙、不織布、綿生地の通気性を有してダニが侵入・移動可能な薄いシートのダニ誘引用シートを積層するとともに、ダニ誘引用シートに誘引したダニを確認するためにこのダニ誘引用シートの表面側に透明な合成樹脂シートまたはフィルムシートの透視シートの透視部を重ね合わせて被覆状態に配設し、上記ダニ誘引用シートによってダニ誘引用シートと透視シートとの間に誘引したダニを透明な透視シートの透視部を介して確認するようにしたことを特徴とする誘引ダニ確認用具を提供するものである。
【０００９】
【発明の実施の形態】
本発明の誘引ダニ確認用具は、薄い紙、布地、不織布、プラスチックのシートやマットのベースの上面または／および下面にダニを誘引する誘引剤を付着した和紙、不織布、綿生地の通気性を有してダニが侵入・移動可能な薄いシートのダニ誘引用シートを積層するとともに、ダニ誘引用シートに誘引したダニを確認するためにこのダニ誘引用シートの表面側に透明な合成樹脂シートまたはフィルムシートの透視シートの透視部を重ね合わせて被覆状態に配設し、上記ダニ誘引用シートによってダニ誘引用シートと透視シートとの間に誘引したダニを透明な透視シートの透視部を介して確認するようにしたことを特徴としている。
【００１０】
ダニ確認用具１は、図１〜図３のようにベース２の上面や下面の片面側または両面側にダニ誘引用シート３を積層し、ダニ誘引用シート３に透明なシート等の透視部４を重ね合せて配設して、ダニ誘引用シート３に誘引したダニを透明なシート等の透視部４を介して肉眼ないしルーペで確認できるようにするものである。
【００１１】
ベース２としては、紙、布生地、不織布、樹脂など適宜なシート、マットが利用でき、場合によりダニ誘引用シート３で代用するようにもできる。
【００１２】
ダニ誘引用シート３としては、ダニが侵入可能な和紙、不織布、綿生地の通気性を有するものが利用でき、このダニ誘引用シート３にダニ誘引剤を付着してダニを誘引するようにしている。
【００１３】
そして、このダニ誘引用シート３の表面側に透明な合成樹脂のフィルム、シートの透視部４を被覆状態に配設し、ダニ誘引用シート３に誘引したダニをダニ誘引用シート３と透視部４との間に捕獲状態として所要倍率のルーペ等を介して肉眼で見れるようにしている。
【００１４】
上記透視部４としては、ダニ誘引用シート３の片面や両面の全面や、図１〜図３のように中央部や両側部、その他の個所に１ないし複数設けることができるものであり、この矩形状や円形状の透明窓状等とした透視部４の下のダニ誘引用シート３は白色や透明色に近いダニを見えやすいようにダニの体色と反対色の黒色、茶色、紺色等とするのが好ましい。特に、透視部４を両面に設けることによって、ダニが下方に潜り込んでも、容易にひっくり返してダニを確認することができて好ましい。
【００１５】
また本発明では、誘引したダニを観察することが主な目的なので、上記したダニ誘引シート３の透視部４の下側にのみダニ誘引剤を付着すればよく、またこうすることによってダニを透視部４の下部に集められて、比較的容易に透視部４を介してダニを観察することができる。
【００１６】
また、図４のように誘引ダニ確認具１の透視部４の下部の誘引用シート３を引き出して交換可能に挿着するようにし、１〜２ヶ月間毎等に定期的に交換してダニを観察するようにもできる。この場合、特にサンプルデータを採取するのに好ましく使用できる。
【００１７】
また、図５（ａ）、（ｂ）のように小形で薄いプラスチックシートであるベース２の片面側または両面側の所要位置にダニ誘引用シート３を貼り付け、その表面に透明なプラスチックシートの透視部４を取着した小形で薄形のものとすることもできる。
【００１８】
以上の説明で、ダニ誘引用シート３の代わりにダニを誘引して死滅できる誘引殺ダニ剤を付着した誘引殺ダニ用シートを装着して、ダニを捕獲して死滅させるようにすることもできる。
【００１９】
さて、一般に家屋で検出されるダニは、チリダニ、コナヒョウダニ、ササラダニ、コナダニ、ツメダニ、ニクダニ、ホコリダニ、イエダニなど多種類のものが知られている。
【００２０】
チリダニはカビや植物繊維、不飽和脂肪酸を含む老廃物、食品くず等を食し、ササラダニはカビや腐植質を食し、コナダニはチーズや食品くずを好む食品害虫であり、ツメダニは上記チリダニやコナダニ、他微小昆虫等を捕食して生息し、ニクダニは食品くず、特に魚介類の乾燥物や干物類、ペットフードを食し、ホコリダニは塵や貯蔵食品を食して生息し、イエダニはねずみや鳥に寄生することが知られている。
【００２１】
そして、家庭等では、上記したダニ類がじゅうたん、畳などの床表面近く、また布団、ベッドなどの寝台、室内布製品、布製椅子、壁と家具のすきまなどに多く生息することから、シート状、マット状等の誘引ダニ確認具１をダニの生息場所やその近くに設置し、ダニを誘引するようにできる。
【００２２】
上記したダニ誘引剤としては、毒性のない食餌性誘引物質、たとえばビール等の乾燥酵母等の食品フレーバ、ビスケット、穀物パウダー、米麹、繊維くずと、毒性のない臭香性誘引物質、たとえば動物性や植物性油脂や、これらの脂肪酸等のエステルを適宜組み合わせてダニを誘引するようにでき、その他に毒性のないフェロモン物質やその他の誘引物質を添加し、より多くの種類のダニ類を誘引して集めるようにできる。
【００２３】
なお、誘引殺ダニ用シートの場合、毒性のない殺ダニ物質を上記のものに配合してダニを捕獲して死滅させるようにするすることができ、たとえばシリカゲル、活性炭、沸石、塩化カルシウムなどの多孔質物質、水分吸着物質、吸着熱発生物質を、単独またはこれらを適宜組み合わせて使用できる。
【００２４】
【実施例】
図１（ａ）、（ｂ）は、本発明の一実施例を示すもので、ダニ誘引確認具１は、１５ｃｍ×１８ｃｍの大きさの布生地のマット状のベース２の上面および下面に上記した毒性のない食餌性誘引物質と臭香性誘引物質等との微粉末の混合剤に水性塗料を配合して塗布した黒色に着色の不織布シートのダニ誘引用シート３を積層するとともに、その上面に透明なフィルムシートの透視部４をそれぞれ積層し、その周部を縫着して形成したものである。
【００２５】
上記ダニ誘引観察具１を、家庭のベッドとマットレスの間、じゅうたんや畳の上、机の下などの暗い所や掃除の行き届かない場所に設置して観察した。観察にあたっては、２０倍以上のルーペや、５０倍以上のマイクロスコープ、顕微鏡などでダニ誘引観察具１の透視部４を万遍なく観察すると、微小な白い虫のような物体が動き廻っているのを観察することができた。特に、透視部４の下部のダニ誘引用シート３を黒色としているためダニの観察がしやすいものであった。また、透視部４を両面に設けることによって、ダニが下方に潜り込んでも、容易にひっくり返してダニを確認することができるものであった。
【００２６】
図２（ａ）、（ｂ）、図３は、本発明の他の実施例で、透視部４を１ないし複数個の円形状や矩形状としたものである。このように透視部４は、片面または両面に所要の形状、数量のものとすることができ、必要により図２（ｂ）や図３のように複数の透視部４にダニ誘引剤を変えていろいろな種類のダニの誘引状態を確認するようにもできる。
【００２７】
図４は、本発明のさらに他の実施例のもので、ベース２に透視部４の両側部分を縫着し、ダニ誘引用シート３をベース２と透視部４との間に挿脱可能に装着するようにしたものである。本実施例では、小形状のダニ誘引用シート３部のみを交換して使用するようにできる。
【００２８】
図５（ａ）、（ｂ）は、本発明のさらに他の実施例で、６ｃｍ×８ｃｍの大きさの薄いプラスチックシートのベース２の両面に上記したダニ誘引剤を付着した２ｃｍ径のダニ誘引用シート３をそれぞれ貼り付け、その表面に６ｃｍ×８ｃｍの大きさの透明なプラスチックシートの透視部４をそれぞれその側端部を貼り付けたものである。本実施例では、きわめて小形で、薄形なので、タンス間やタンスと壁面との間等の微小な隙間や、じゅうたんの下、その他に挿入して使用することができ、表面および裏面の両面からダニを確認することができる。
【００２９】
なお、これらの実施例の使用にあっては、暗いシート等で覆って暗くするのがダニを誘引しやすく、また上記したベースには上記したようにダニ誘引用シート３を取着してダニを誘引するようにできるとともに、ダニを死滅できる誘引殺ダニ剤を混合した誘引殺ダニ用シートを装着して、ダニを捕獲して死滅させるように使用することもできる。
【００３０】
【発明の効果】
以上のように本発明にあっては、薄い紙、布地、不織布、プラスチックのシートやマットのベースの上面または／および下面にダニを誘引する誘引剤を付着した和紙、不織布、綿生地の通気性を有してダニが侵入・移動可能な薄いシートのダニ誘引用シートを積層するので、家庭のベッドとマットレスの間、じゅうたんや畳の上、机の下などの暗い所や掃除の行き届かない場所に設置できて、ダニを通気性を有するベースやダニ誘引用シートを介してダニを侵入させるようにしてダニをダニ誘引用シートで誘引できて、ダニ誘引用シートの表面側に透明な合成樹脂シートまたはフィルムシートの透視シートの透視部を被覆状態に配設した透視部を介してダニを観察することができ、家庭等にどのような種類のダニが、どれ程の量住み着いているかを実際に体験できて、真剣にダニ対策を考えるようになり、ダニによるアレルーゲンの源を消滅するようにできる。
【００３１】
また、ベースが小形の薄いプラスチックシートで、その片面または両面側の所要位置にダニ誘引用シートを貼り付け、その表面に透明なプラスチックシートの透視部を被覆状態にして取着したことによって、きわめて小形で、薄形なので、タンス間やタンスと壁面との間等の微小な隙間や、じゅうたんの下、その他に挿入して使用することができ、表面および裏面の両面からダニを確認することができる。
【００３２】
また、誘引したダニを確認しやすいようにダニの体色と反対色の黒色、茶色、紺等のダニ誘引用シートにすることによって、誘引したダニを透視部を介して見やすくできる。
【００３３】
また、ベースにダニ誘引用シートを交換可能に装着することによって、ダニ誘引用シートを交換するだけでダニ誘引観察具を繰り返して使用することができる。
【００３４】
さらに、ダニ誘引用シートと交換可能にダニを誘引して捕獲する誘引殺ダニ剤を付着した誘引殺ダニ用シートを装着するようにして、誘引したダニを確認できるようにするとともに、捕獲するようにことによって、誘引したダニを観察したり、誘引したダニを捕獲して死滅処理することができる。
【００３５】
さらにまた、複数の透視部を設けて、その透視部のダニ誘引用シートにいろいろな種類のダニを誘引可能にダニ誘引剤を変えて設けていろいろな種類のダニを確認できるようにしたことによって、いろいろな種類のダニを誘引して確認するようにできる。
【図面の簡単な説明】
【図１】本発明の一実施例のダニ誘引観察具の平面図（ａ）と側断面図（ｂ）、
【図２】同上のそれぞれ他の実施例の平面図（ａ）、（ｂ）、
【図３】同上のさらに他の実施例の平面図、
【図４】同上のさらに他の実施例の平面図、
【図５】同上のさらに他の実施例の平面図（ａ）と側断面図（ｂ）。
【符号の説明】
１…ダニ誘引観察具        ２…ベース        ３…ダニ誘引用シート
４…透視部
【図１】
0003689054.tif 000002
【図２】
0003689054.tif 000003
【図３】
0003689054.tif 000004
【図４】
0003689054.tif 000005
【図５】
0003689054.tif 000006